(57)【要約】【課題】  カードによる料金精算のセキュリティを向上できる自動精算機を提供する。【解決手段】  実施形態によれば、自動精算機は、カード口とカード処理部と制御部とを有する。カード口は、車両に乗車した状態の利用者がカードを挿入する。カード処理部は、前記カード口に挿入されたカードから情報を読み取る。制御部は、前記カード処理部が読取る情報に基づいて前記カード口に挿入されたカードが指紋認証機能を有するクレジットカードであるか否かを判断し、前記カードが指紋認証機能を有するクレジットカードであると判断した場合、前記カードにおける指紋認証が成功した状態であれば、前記カードに記憶されている情報に基づいて料金を精算する。【選択図】      図２
2019200683.tif 000002
【特許請求の範囲】
【請求項１】
利用者の操作に応じて料金精算を行う自動精算機において、
車両に乗車した状態の利用者がカードを挿入するカード口と、
前記カード口に挿入されたカードから情報を読み取るカード処理部と、
前記カード処理部が読取る情報に基づいて前記カード口に挿入されたカードが指紋認証機能を有するクレジットカードであるか否かを判断し、前記カードが指紋認証機能を有するクレジットカードであると判断した場合、前記カードにおける指紋認証が成功した状態であれば、前記カードに記憶されている情報に基づいて料金を精算する制御部と、
を有する自動精算機。
【請求項２】
前記カード処理部は、前記カード口に挿入されたカードを取り込み、取り込んだカードから情報を読み取り、
前記制御部は、前記カード処理部が取り込んだカードから指紋認証が成功した状態であることを示す情報を読み取った場合、前記カードに記憶されている情報に基づいて料金を精算する、
請求項１に記載の自動精算機。
【請求項３】
前記カード処理部は、前記カード口に一部が挿入された状態のカードに電力を供給し、電力を供給している前記カードにおいて指紋認証が成功したことを示す情報を読み取り、
前記制御部は、前記カード処理部が前記カードにおいて指紋認証が成功したことを示す情報を読み取った場合、前記カードに記憶されている情報に基づいて料金を精算する、
請求項１に記載の自動精算機。
【請求項４】
さらに、前記カード処理部が前記カードにおいて指紋認証が成功したことを示す情報が読取れない場合、前記カードにおける指紋認証を再度実行する旨の案内を表示する表示部を有する、
請求項１乃至３の何れか１項に記載の自動精算機。
【発明の詳細な説明】
【技術分野】
【０００１】
本発明の実施形態は、自動精算機に関する。
【背景技術】
【０００２】
有料道路の料金所等には、車両に乗車している利用者が投入する現金またはクレジットカードで料金を精算する自動精算機が設置されることがある。一方、自動精算機での精算に使用可能なクレジットカードは、セキュリティ強化のため、ＩＣチップが搭載されたカード（ＩＣカード）とし、暗証番号（以下、ＰＩＮとも称する）の入力による本人確認を行うことが推奨されている。
【０００３】
しかしながら、有料道路の料金所に設置される自動精算機は、以下の理由によって、利用者が車両に乗車したままでＰＩＮを入力する構成とすることが難しい。  
（１）既存の自動精算機は、ＰＩＮを入力するための入力デバイス（例えばＰＩＮパッド）を追加で設置するスペースがなく、ＰＩＮパッドを追加するための設計変更には手間やコストがかかる。
（２）有料道路の料金所等では、自動精算機の設置位置を変更することが困難であり、利用者がＰＩＮを入力し易いように自動精算機の設置位置を変更することは難しい。
（３）有料道路の料金所等では、利用者が車から降車してＰＩＮを入力する運用とすることは安全性の問題から不可とされている。
（４）運転者が車両に乗車しながら入力するＰＩＮは、同乗者などに見えやすい構造となる。
（５）自動精算機は屋外に設置するため、ＰＩＮ入力用のデバイスは、雨、雪、粉じんなどに耐えうる構成とすることが必要である。
（６）有料道路では、利用者がＰＩＮを入力する操作時間およびＰＩＮ忘れなどによってサービスタイムが悪化すると、渋滞の発生などの要因となりうる。  
また、駐車場の自動精算機、自動販売機、セルフのガソリンスタンドの自動精算機などの有料道路以外の自動精算機においても、利用者が安全かつ簡易にＰＩＮを入力する構成とすることが難しいという問題がある。
【先行技術文献】
【特許文献】
【０００４】
【特許文献１】特開２０１２−２３８１２６号公報
【特許文献２】特開２００２−０８２９１４号公報
【特許文献３】特開２０１２−２２１２６４号公報
【特許文献４】特開２００４−３６２１５３号公報
【発明の概要】
【発明が解決しようとする課題】
【０００５】
上記のように、有料道路の料金所などの屋外に設置する自動精算機では、利便性が良くかつ安全に利用者自身がＰＩＮを入力できる構成とすることが難しい。このため、ＰＩＮの入力なしで、クレジットカードによる料金精算のセキュリティ強化を高めることができる自動精算機が要望されている。  
本発明は、上記課題を解決するものであり、カードによる料金精算のセキュリティを向上できる自動精算機を提供することを目的とする。
【課題を解決するための手段】
【０００６】
実施形態によれば、自動精算機は、カード口と、カード処理部と、制御部とを有する。カード口は、車両に乗車した状態の利用者がカードを挿入する。カード処理部は、前記カード口に挿入されたカードから情報を読み取る。制御部は、前記カード処理部が読取る情報に基づいて前記カード口に挿入されたカードが指紋認証機能を有するクレジットカードであるか否かを判断し、前記カードが指紋認証機能を有するクレジットカードであると判断した場合、前記カードにおける指紋認証が成功した状態であれば、前記カードに記憶されている情報に基づいて料金を精算する。
【図面の簡単な説明】
【０００７】
【図１】図１は、実施形態に係る自動精算機の構成例を示す外観図である。
【図２】図２は、実施形態に係る自動精算機の制御系の構成例を示すブロック図である。
【図３】図３は、第１の実施形態に係る自動精算機における精算に用いられるカードの構成例を示す図である。
【図４】図４は、第１の実施形態に係る自動精算機における精算に用いられるカードの制御系の構成例を示すブロック図である。
【図５】図５は、第１の実施形態に係る自動精算機における精算処理の動作例を説明するためのフローチャートである。
【図６】図６は、第２の実施形態に係る自動精算機に具備されるカード処理部の例を示す図である。
【図７】図７は、第２の実施形態に係る自動精算機における精算処理の動作例を説明するためのフローチャートである。
【発明を実施するための形態】
【０００８】
以下、第１及び第２の実施形態について、図面を参照しつつ説明する。  
（第１の実施形態）
まず、第１の実施形態について説明する。  
図１は、第１の実施形態に係る自動精算機１の構成例を示す外観図である。  
自動精算機１は、有料道路の料金所などに設置され、車両に乗車したままの利用者の操作に応じて通行料金などの精算を行う装置である。また、自動精算機１は、現金によって料金を精算する機能だけでなく、利用者が所持するクレジットカードを用いて料金の精算を行う機能を有する。
【０００９】
図１に示す構成例において、自動精算機１は、料金の精算を行う車両が停車する側の面（正面）に、操作ユニット２Ａと操作ユニット２Ｂとが上下に設けられる。操作ユニット２Ａは、大型車などの車高が高い車両に乗車している利用者（例えば、運転者）が操作しやすいように自動精算機１の正面の上側に設けられる。操作ユニット２Ｂは、普通車などの車高が低い車両に乗車している利用者が操作しやすいように操作ユニット２Ａよりも下側に設けられる。操作ユニット２Ａ及び２Ｂは、料金の精算を実行する利用者の操作を受付けるための同等の構成を有する。
【００１０】
操作ユニット２Ａ（２Ｂ）は、通行券口１１ａ（１１ｂ）、カード口１２ａ（１２ｂ）、紙幣口１３ａ（１３ｂ）、硬貨投入口１４ａ（１４ｂ）、硬貨返却口１５ａ（１５ｂ）、領収書発行釦１６ａ（１６ｂ）、領収書発行口１７ａ（１７ｂ）、係員呼出釦１８ａ（１８ｂ）、カメラ１９ａ（１９ｂ）、ディスプレイ２０ａ（２０ｂ）などを有する。さらに、自動精算機１の正面には、身障者用に投入口を下げる身障者レバー２１および音声案内等を発するスピーカ２２なども設けられる。
【００１１】
通行券口１１ａ及び１１ｂは、通行料金などを計算するための通行券を挿入する挿入口である。通行券による料金計算が不要な運用である場合、自動精算機１は、通行券口１１ａ及び１１ｂを省略して良い。カード口１２ａ及び１２ｂは、クレジットカードを挿入する挿入口であり、処理後のカードが放出される放出口でもある。また、カード口１２ａ及び１２ｂは、通行券に替えて使用されるＥＴＣカードなどのＩＣカードを受け入れても良い。カード口１２ａ及び１２ｂは、後述する指紋認証機能を有するＩＣカードとしてのクレジットカードＣが挿入される。
【００１２】
紙幣口１３ａ及び１３ｂは、紙幣の挿入口および返却口として機能する。硬貨投入口１４ａ及び１４ｂは、硬貨が投入される投入口である。硬貨返却口１５ａ及び１５ｂは、釣銭などで返却される硬貨が放出される。  
領収書発行釦１６ａ及び１６ｂは、領収書の発行を指示するボタンである。領収書発行口１７ａ及び１７ｂは、発行した領収書が放出される放出口である。係員呼出釦１８ａ及び１８ｂは、係員の呼出しを指示するボタンである。カメラ１９ａ及び１９ｂは、身障者の証明書などの画像を撮影するためのカメラである。ディスプレイ２０ａ及び２０ｂは、利用者に対する案内などを表示する表示装置である。
【００１３】
図２は、第１の実施形態に係る自動精算機１における制御系の構成例を示すブロック図である。  
図２に示す構成例において、自動精算機１は、機器全体の制御を司る制御部３０を有する。制御部３０には、通行券処理部３１ａ、３１ｂ、カード処理部３２ａ、３２ｂ、紙幣処理部３３ａ、３３ｂ、硬貨処理部３４ａ、３４ｂ、領収書発行部３５ａ、３５ｂ、係員呼出釦１８ａ、１８ｂ、カメラ１９ａ、１９ｂ、ディスプレイ２０ａ、２０ｂ、身障者レバー２１及びスピーカ２２などが接続される。
【００１４】
制御部３０は、自動精算機１の制御及びデータ処理などを行う制御ユニットである。制御部３０は、ＣＰＵ４１、メモリ４２および通信部４３などを有する。ＣＰＵ４１は、プログラムを実行することにより各種の処理機能を実現するプロセッサである。ＣＰＵ４１は、図示しないインターフェースなどを介して自動精算機１内の各部に接続される。例えば、ＣＰＵ４１は、メモリ４２が記憶するプログラムを実行することにより各部を制御する。また、ＣＰＵ４１は、各部からの情報を取得し、各部から取得した情報に基づくデータ処理を行う。メモリ４２は、ＣＰＵ４１が実行するプログラムを記憶する不揮発性のメモリ、一時的にデータを保持する揮発性のメモリ、設定データ及びログデータを保存する書換え可能な不揮発性のメモリなどの各種のメモリを含む。通信部４３は、外部装置と通信するためのインターフェースである。例えば、通信部４３は、クレジットカードによる決済を実現するための上位システムと通信する機能を有する。
【００１５】
通行券処理部３１ａ及び３１ｂは、通行券口１１ａ及び１１ｂに挿入された通行券から通行料金を算出するための情報を読み取る。通行券処理部３１ａ及び３１ｂは、通行券口１１ａ及び１１ｂの近傍に設けたセンサによって通行券が挿入されたことを検知し、検知した通行券を取り込んで情報を読み取る。例えば、通行券処理部３１ａ及び３１ｂは、通行券から入口情報（有料道路に入った場所などを示す情報）を読取り、読取った入口情報を制御部３０へ供給する。
【００１６】
カード処理部３２ａ及び３２ｂは、カード口１２ａ及び１２ｂに挿入されたカードを処理する。第１の実施形態において、カード処理部３２ａ及び３２ｂは、カード口１２ａ及び１２ｂの挿入されたカードをセンサによって検知し、センサが挿入を検知したカードを取り込んで処理する構成（オートローディング方式）を有するものとする。カード処理部３２ａ及び３２ｂは、カード口１２ａ及び１２ｂに挿入されたクレジットカードＣによる料金の精算を行うために当該クレジットカードＣにアクセスする。例えば、カード処理部３２ａ及び３２ｂは、取り込んだカードが指紋認証機能を有するクレジットカードＣであり、当該クレジットカードＣにおける指紋認証が成功した状態であれば、当該クレジットカードＣが記憶する料金の精算に必要な情報にアクセスする。また、カード処理部３２ａ及び３２ｂは、通行券に替えて使用されるＥＴＣカードを処理する機能を有するものとしても良い。
【００１７】
紙幣処理部３３ａ及び３３ｂと硬貨処理部３４ａ及び３４ｂとは、現金処理部として機能する。紙幣処理部３３ａ及び３３ｂは、現金としての紙幣を処理するユニットである。紙幣処理部３３ａ及び３３ｂは、紙幣口１３ａ及び１３ｂに挿入された紙幣を処理する。また、紙幣処理部３３ａ及び３３ｂは、お釣りなどとして返却すべき紙幣を紙幣口１３ａ及び１３ｂから放出する。硬貨処理部３４ａ及び３４ｂは、現金としての硬貨を処理するユニットである。硬貨処理部３４ａ及び３４ｂは、硬貨投入口１４ａ及び１４ｂに投入された硬貨を処理する。硬貨処理部３４ａ及び３４ｂは、釣銭などの返却すべき硬貨を硬貨返却口１５ａ及び１５ｂから放出する。
【００１８】
領収書発行部３５ａ及び３５ｂは、領収書を発行する処理ユニットである。領収書発行部３５ａ及び３５ｂは、領収書発行釦１６ａ及び１６ｂへの指示に応じて料金の精算結果を印刷した領収書を作成し、作成した領収書を領収書発行口１７ａ及び１７ｂから放出する。カメラ１９ａ及び１９ｂは、制御部３０の制御によって身障者の証明書などの画像を撮影し、撮影した画像を制御部３０へ供給する。ディスプレイ２０ａ及び２０ｂは、制御部３０による制御に応じて案内などを表示する。
【００１９】
次に、第１の実施形態に係る自動精算機１における精算に用いられる指紋認証機能付きのクレジットカードＣの構成について説明する。  
図３は、第１の実施形態に係る自動精算機１における精算に用いられる指紋認証機能付きのクレジットカードＣの構成例を示す図である。  
クレジットカードＣは、プラスチックなどで形成されたカード状の筐体を有するＩＣカードで構成される。クレジットカードＣは、カードリーダライタなどの外部装置（自動精算機１のカード処理部３２a、３２ｂ）と物理的に接触する外部通信端子（インターフェース）５１を有する接触式のＩＣカードであるものとする。
【００２０】
図３に示す構成例において、第１の実施形態に係るクレジットカードＣは、ＩＣチップ５２、指紋センサ５３、表示器５４およびバッテリ５５などを有する。ＩＣチップ５２は、データ処理を実行するための各種の制御回路、メモリおよび外部通信端子５１などを有する。ＩＣチップ５２は、外部装置との接触部である外部通信端子５１が露出した状態でカード状の筐体内に埋め込まれる。ＩＣチップ５２は、バッテリ５５からの電力によって動作する。
【００２１】
指紋センサ５３は、利用者の指の指紋を読み取るスキャナである。指紋センサ５３は、指紋の読取対象とする利用者の指と接触する接触部がカード状の筐体の表面に露出するように配置される。指紋センサ５３は、バッテリ５５からの電力によって任意のタイミングで指紋の読取りを行える。
【００２２】
表示器５４は、利用者が視認可能な光を点灯する。表示器５４は、例えば、ＬＥＤで構成する。表示器５４は、複数の色で点灯するものであっても良く、状態に応じた色で点灯するようにしても良い。表示器５４は、ＩＣチップ５２内の制御部によって点灯または消灯が切替えられる。表示器５４は、バッテリ５５からの電力によって任意のタイミングで点灯及び消灯が切替えられる。また、表示器５４は、バッテリ５５から供給される電力によって点灯状態を保持する。
【００２３】
バッテリ５５は、電力を蓄える機能を有し、クレジットカードＣ内の各部に蓄えている電力を供給する。例えば、ＩＣチップ５２は、カードリーダライタなどの外部装置から電力供給を受けていない場合であっても（カードリーダライタに接触していない状態であっても）、バッテリ５５から供給される電力によって指紋認証などのデータ処理を実行する。
【００２４】
図４は、図３に示すクレジットカードＣとしてのＩＣカードの制御系の構成例を示すブロック図である。  
図４に示すように、第１の実施形態に係るクレジットカードＣは、外部通信端子５１を具備するＩＣチップ５２に、指紋センサ５３、表示器５４およびバッテリ５５などが接続される構成を有する。また、ＩＣチップ５２は、ＣＰＵ６１、ＲＯＭ６２、ＲＡＭ６３、不揮発性メモリ６４、暗号回路６５および外部通信端子５１などを有する。
【００２５】
ＣＰＵ６１は、プログラムを実行することにより各種のデータ処理を実行するプロセッサである。ＣＰＵ６１は、ＲＯＭ６２または不揮発性メモリ６４に記憶したプログラムを実行することにより各種の処理を実行する。ＲＯＭ６２は、不揮発性のメモリである。ＲＯＭ６２は、当該クレジットカードＣの発行処理などにおいて書込まれるプログラムおよび制御データなどを記憶する。ＲＡＭ６３は、揮発性のメモリであり、ワーキングメモリとして使用される。
【００２６】
不揮発性メモリ６４は、書換え可能な不揮発性のメモリである。不揮発性メモリ６４は、例えば、ＥＥＰＲＯＭ（登録商標）などにより構成する。不揮発性メモリ６４は、ユーザデータ、ログデータおよびアプリケーションプログラムなどが書き込まれる。暗号回路６５は、データを暗号処理する回路である。暗号回路６５は、例えば、認証処理あるいはデータ通信に用いるデータを暗号化あるいは復号化する。外部通信端子５１は、リーダライタなどの外部装置（第１の実施形態では自動精算機１のカード処理部３２ａ、３２ｂ）と物理的に接触して通信接続する。
【００２７】
次に、第１の実施形態に係るクレジットカードＣを自動精算機１における精算処理に使用する場合の利用者による操作手順について説明する。  
図３及び図４に示す指紋認証機能付きクレジットカードＣは、自動精算機１での精算処理に使用する前に、利用者自身の操作によって指紋認証を実行しておくものとする。すなわち、自動精算機１でクレジットカードＣを用いて精算処理を実行する車両の運転者は、カード口１２ａ、１２ｂにクレジットカードＣを挿入する前に、指紋センサ５３に触れて指紋認証を実行させる。クレジットカードＣは、利用者が指紋センサ５３に触れると、指紋認証処理を実行する。
【００２８】
例えば、クレジットカードＣのＣＰＵ６１は、利用者が指紋センサ５３に触れたことを検知すると、指紋センサ５３により利用者の指紋情報を読取る。指紋センサ５３が利用者の指紋情報を読取ると、ＣＰＵ６１は、読取った指紋情報と不揮発性メモリ６４に予め登録されている登録者（当該カードＣの所有者）の指紋情報とを照合することにより指紋認証を実行する。ＣＰＵ６１は、指紋認証が成功すると、指紋認証が成功したことを示す情報を不揮発性メモリ６４に書込み、表示器５４を点灯させて指紋認証が成功した状態（指紋認証済み）であることを報知する。
【００２９】
指紋認証済みのクレジットカードＣは、指紋認証によりカード所有者本人であることが確認されるため、精算処理に用いるデータへのアクセスが可能な状態となる。これにより、指紋認証済みのクレジットカードＣは、自動精算機１での当該クレジットカードＣによる精算処理が可能な状態となる。
【００３０】
ただし、クレジットカードＣのＣＰＵ６１は、指紋認証済みの状態が永続的に保持されないように制御する。例えば、クレジットカードＣは、指紋認証が成功した時点からの経過時間を監視し、所定時間において指紋認証済みの状態を保持する。これにより、クレジットカードＣは、指紋認証が成功した時点からの所定時間内でクレジット決済が可能となり、所定時間を経過した後はクレジット決済が不可となる。所定時間を経過したことでクレジット決済が不可となった場合、当該クレジットカードＣは、クレジット決済を実行するには再度の指紋認証が必要となる。また、クレジットカードＣのＣＰＵ６１は、指紋認証済みの状態が一回の精算処理だけで有効となるように制御しても良い。
【００３１】
次に、第１の実施形態に係る自動精算機１による精算処理について説明する。  
図５は、第１の実施形態に係る自動精算機１による精算処理の動作例を説明するためのフローチャートである。  
自動精算機１の制御部３０は、待機状態において通行券口１１ａ又は１１ｂへの通行券の挿入を受付ける（ＳＴ１１）。例えば、自動精算機１で料金の精算を行う車両の運転者は、自動精算機１の正面に停車して通行券を通行券口１１ａ又は１１ｂに挿入する。通行券処理部３１ａ、３１ｂは、図示しないセンサによって通行券口１１ａ、１１ｂに通行券が挿入されたことを検知し、検知した通行券を取り込む。通行券処理部３１ａ、３１ｂは、取り込んだ通行券から入口情報などの料金計算に必要な情報を読み取り、読取った情報を制御部３０へ供給する。
【００３２】
制御部３０は、通行券から読み取った情報を取得すると（ＳＴ１１、ＹＥＳ）、当該通行券に基づく料金の計算処理を実行する（ＳＴ１２）。例えば、制御部３０は、挿入された通行券から読み取った入口情報に基づいて通行料金を計算する。また、制御部３０は、身障者などの割引がある場合、カメラ１９ａ、１９ｂを用いて証明書等の画像を読取って割引の正当性を確認する。制御部３０は、カメラ１９ａ、１９ｂが撮影する画像により割引の正当性が確認できた場合、確認した割引を加味した料金を算出する。
【００３３】
料金を算出すると、制御部３０は、料金の精算を案内する（ＳＴ１３）。例えば、制御部３０は、算出した料金をディスプレイ２０ａ、２０ｂに表示し、現金又はクレジットカードでの精算を促す。具体例としては、制御部３０は、精算が必要な料金とともに、「現金又はクレジットカードを挿入して下さい」という案内をディスプレイ２０ａ、２０ｂに表示する。料金精算の案内を表示した状態において、制御部３０は、現金又はクレジットカードの挿入待ち状態となる。
【００３４】
現金が紙幣口１３ａ、１３ｂ又は硬貨投入口１４ａ、１４ｂに投入された場合（ＳＴ１４、ＹＥＳ）、制御部３０は、投入された現金による料金の精算処理を行う（ＳＴ１５）。紙幣処理部３３ａ、３３ｂ又は硬貨処理部３４ａ、３４ｂは、投入された現金を鑑査し、投入された現金の金額を示す情報を制御部３０へ通知する。制御部３０は、投入された金額と精算が必要な料金とに基づいて釣銭などを算出する。釣銭が発生する場合、制御部３０は、紙幣処理部３３ａ、３３ｂ又は硬貨処理部３４ａ、３４ｂを用いて釣銭を放出する処理を行う。
【００３５】
カードがカード口１２ａ、１２ｂに挿入された場合（ＳＴ１６、ＹＥＳ）、カード処理部３２ａ、３２ｂは、図示しないセンサによりカード口１２ａ、１２ｂに挿入されたカードを検知し、検知したカードを機内に取込む（ＳＴ１７）。カード口１２ａ、１２ｂに挿入されたカードをカード処理部３２ａ、３２ｂが取り込むと、制御部３０は、カード処理部３２ａ、３２ｂが取り込んだカードが指紋認証機能を有するクレジットカードＣであるか否かを判断する（ＳＴ１８）。
【００３６】
例えば、カード処理部３２ａは、カード口１２ａから取り込んだカードに対してアクセスを試みる。取り込んだカードがアクセス可能な外部通信端子を有するＩＣカードであれば、カード処理部３２ａは、取り込んだＩＣカードと外部通信端子を介して通信接続する。カード処理部３２ａが取り込んだカード（ＩＣカード）と通信接続すると、当該カードから指紋認証機能の有無を示す情報を読み出す。ここで、指紋認証機能を有するクレジットカードＣは、カードの判別情報として、指紋認証機能を有することを示す情報がＲＯＭ６２又は不揮発性メモリ６４に事前に記録されているものとする。
【００３７】
すなわち、制御部３０は、カード処理部３２ａ、３２ｂを用いて取り込んだカードから指紋認証機能を有するクレジットカードＣであることを示す情報を読み取れたか否かにより、取り込んだカードが指紋認証機能を有するクレジットカードＣであるか否かを判断する。
【００３８】
取り込んだカードが指紋認証機能を有するクレジットカードＣであると判断した場合（ＳＴ１８、ＹＥＳ）、制御部３０は、当該クレジットカードＣが指紋による認証が成功した状態（指紋認証済み）であるか否かを判断する（ＳＴ１９）。上述したように、図３及び図４に示す構成のクレジットカードＣは、カード口１２ａ、１２ｂに挿入する前に利用者自身が指紋センサ５３に触れて指紋認証を実行しておくものとする。指紋認証が成功すると、クレジットカードＣは、表示器５４が点灯し、クレジットカード決済に必要な情報へのアクセスが可能な状態となる。
【００３９】
制御部３０は、クレジットカードＣが指紋認証済みであると判断した場合（ＳＴ１９、ＹＥＳ）、カード処理部３２ａ、３２ｂによりクレジットカード決済に必要な情報を読出して当該クレジットカードＣによる精算処理を実行する（ＳＴ２０）。
【００４０】
制御部３０は、当該クレジットカードＣが指紋認証済みでないと判断した場合（ＳＴ１９、ＮＯ）、指紋認証を再度実行する旨を報知する（ＳＴ２１）。例えば、制御部３０は、「指紋認証後に再度挿入して下さい」という案内をディスプレイ２０ａ、２０ｂに表示する。さらに、制御部３０は、指紋認証を再度実行する旨を報知する共に、カード処理部３２ａ、３２ｂにより取り込んだ当該クレジットカードＣをカード口１２ａ、１２ｂから放出する（ＳＴ２２）。カードＣを放出した後、制御部３０は、ＳＴ１４へ戻り、カードの再挿入或は現金での精算を受付ける。
【００４１】
取り込んだカードが指紋認証機能を有するクレジットカードでないと判断した場合（ＳＴ１８、ＮＯ）、制御部３０は、当該カードでの精算処理が可能か否かを判断する（ＳＴ２３）。取り込んだカードがアクセス可能なカードでない場合（取り込んだカードがクレジットカードでない場合）、制御部３０は、当該カードでの精算を不可と判断する。
【００４２】
また、取り込んだカードが指紋認証機能を持たないクレジットカードである場合、制御部３０は、カード所有者の本人認証が無い状態で当該クレジットカードによる決済が可能であるか判断する。例えば、制御部３０は、カード所有者の本人認証が無い状態で当該クレジットカードによる精算が可能であるかを通信部４３により上位システムに問い合わせるようにしても良い。この場合、制御部３０は、当該クレジットカードによる精算が可能である旨の通知を上位システムから受けると、取り込んだクレジットカードでの精算処理が可能であると判断する。また、制御部３０は、本人認証無しでの当該クレジットカードによる精算が不可である旨の通知を上位システムから受けると、取り込んだカードでの精算処理が不可であると判断する。
【００４３】
また、自動精算機１では、指紋認証機能を持たないクレジットカードでは本人認証ができないため、指紋認証機能を持たないクレジットカードによる精算を不可とするように予め設定しておいても良い。このような設定である場合、制御部３０は、取り込んだカードが指紋認証機能を持たないクレジットカードであれば、当該カードによる精算を不可と判断するものとする。
【００４４】
取り込んだカード（クレジットカード）による精算が可能であると判断した場合（ＳＴ２３、ＹＥＳ）、制御部３０は、当該クレジットカードでの精算処理を実行する（ＳＴ２０）。また、取り込んだカードでの精算処理が不可であると判断した場合（ＳＴ２３、ＮＯ）、制御部３０は、当該カードでの精算を不可とし、当該クレジットカードを放出する（ＳＴ２４）。取り込んだ当該カードでの精算を不可とする場合、制御部３０は、現金又は別の指紋認証機能を有するクレジットカードでの精算を再度実行するように案内するようにしても良い。
【００４５】
上記のように、第１の実施形態に係る自動精算機は、カード口とカード処理部と制御部とを有する。カード口は、車両に乗車している利用者によってカードが挿入される。カード処理部は、カード口に挿入されたカードを取り込み、取り込んだカードから情報を読み取る。制御部は、カード口に挿入されたカードが指紋認証機能を有するクレジットカードであるか否かを判断し、当該カードが指紋認証機能を有するクレジットカードであると判断した場合には当該クレジットカードにおける指紋認証が成功した状態であるか否かを判断する。制御部は、カード口に挿入されたカードが指紋認証機能を有するクレジットカードであり、かつ、指紋認証が成功した状態である場合、当該クレジットカードから読み取る情報に基づいて料金を精算する。
【００４６】
第１の実施形態によれば、利用者が車両に乗車したままの状態で精算処理を行う有料道路の料金所などであっても、指紋認証機能付きのクレジットカードによる料金精算を行える自動精算機を提供できる。また、第１の実施形態によれば、利用者が精算に利用する前に当該クレジットカードの指紋センサに触れて指紋認証を実行しておき、指紋認証済みのクレジットカードを自動精算機に挿入することだけで、ＰＩＮ入力などの手間を掛けることなく、指紋で本人認証したクレジットカードでの精算が可能となる。この結果、第１の実施形態に係る自動精算機は、ＰＩＮパッドなどの新たな機器を設置することなく、指紋による本人認証でセキュリティを強化したクレジットカードでの精算処理が実現できる。
【００４７】
また、第１の実施形態によれば、従来のオートローディング方式のカード処理部が設置された自動精算機であっても、カード処理部のハードウエア構成を変更することなく、指紋で本人認証したクレジットカードでの精算が可能となる。  
また、第１の実施形態によれば、自動精算機に挿入する前にクレジットカードにおける指紋による本人確認を行うため、ＰＩＮ入力操作などに伴うサービスタイムの増加などのデメリットがなく、スムーズな運用が期待できる。
【００４８】
（第２の実施形態）
次に、第２の実施形態について説明する。  
上述した第１の実施形態では、オートローディング方式のカード処理部（カードリーダライタ）を具備し、バッテリを有する指紋認証機能付きのＩＣカードとしてのクレジットカードＣを処理する自動精算機１について説明した。これに対して、第２の実施形態では、バッテリを搭載しない指紋認証機能付きのＩＣカードとしてのクレジットカードＣ´を処理する構成を有する自動精算機１´について説明する。
【００４９】
まず、第２の実施形態に係る自動精算機１´の構成について説明する。  
第２の実施形態に係る自動精算機１´は、図１及び図２に示す第１の実施形態で説明した自動精算機１と同様な構成を有するものとして良いが、オードローディング方式ではなく、利用者に一部分が挿入された状態のクレジットカード（ＩＣカード）Ｃ´にアクセスするカード処理部３２ａ´、３２ｂ´を具備するものとする。
【００５０】
第２の実施形態に係る自動精算機１´において、カード処理部３２ａ´、３２ｂ´は、図１及び図２に示すオートローディング方式のカード処理部３２ａ、３２ｂに置き換えて設置するものであっても良いし、オートローディング方式のカード処理部３２ａ、３２ｂとは別に設置するものであっても良い。カード処理部３２ａ´、３２ｂ´は、カードを取り込んだり搬送したりする機構が不要であるため、オートローディング方式のカード処理部に比べて小型である。このため、カード処理部３２ａ´、３２ｂ´は、既存の自動精算機にも設置しやすいものとなっている。
【００５１】
図６は、第２の実施形態に係る自動精算機１´のカード処理部３２ａ´、３２ｂ´の構成例を説明するための図である。  
図６に示すように、カード処理部３２ａ´、３２ｂ´は、バッテリを搭載しない指紋認証機能付きのクレジットカードＣ´の一部分が挿入された状態で、当該クレジットカードＣ´にアクセスする。カード処理部３２ａ´、３２ｂ´は、クレジットカードＣ´を挿入するカード口１２ａ´、１２ｂ´を有する。カード処理部３２ａ´、３２ｂ´のカード口１２ａ´、１２ｂ´は、それぞれ操作ユニット２Ａ、２Ｂに配置される。
【００５２】
カード処理部３２ａ´、３２ｂ´は、カード口１２ａ´、１２ｂ´の近傍にクレジットカードＣ´の外部通信端子５１に接触する接触部（インターフェース）が設けられる。これにより、クレジットカードＣ´は、カード全体をカード口１２ａ´、１２ｂ´に挿入することなく、外部通信端子５１を含む一部分をカード口１２ａ´、１２ｂ´の中に挿入した状態（半差しの状態）でカード処理部３２ａ´、３２ｂ´と電気的に接続する。
【００５３】
クレジットカードＣ´は、第１の実施形態で説明した図３及び図４に示す構成からバッテリ５５を省略した構成を有するバッテリレスのＩＣカードで構成される。また、第２の実施形態に係るバッテリレスのＩＣカードとしてのクレジットカードＣ´は、図３及び図４に示す表示器５４を省略しても良い。ただし、クレジットカードＣ´は、外部通信端子５１を含む一部分をカード処理部３２ａ´、３２ｂ´内に挿入した状態で利用者が指紋センサ５３に触れることができる構成とする。このため、クレジットカードＣ´は、外部通信端子５１と指紋センサ５３とがカードの長辺方向において離れた位置に配置されるものとする。
【００５４】
カード処理部３２ａ´、３２ｂ´は、クレジットカードＣ´の外部通信端子５１を含む一部分がカード口１２ａ´、１２ｂ´に挿入された状態でクレジットカードＣ´に電気的に接触し、この状態において当該クレジットカードＣ´の指紋センサ５３に利用者の指が触れられるように構成する。つまり、カード処理部３２ａ´、３２ｂ´は、指紋センサ５３が露出した状態で外部通信端子５１を含む一部分が半差しされたクレジットカードＣ´と通信接続し、当該クレジットカードＣ´へ外部通信端子５１を介して電力を供給する。
【００５５】
クレジットカードＣ´は、外部通信端子５１を介してカード処理部３２ａ´、３２ｂ´に接続すると、カード処理部３２ａ´、３２ｂ´からの電力供給を受けて起動する。クレジットカードＣ´は、カード処理部３２ａ´、３２ｂ´からの電力供給を受けている状態（カード口１２ａ´、１２ｂ´に一部が挿入されている状態）で、指紋センサ５３に触れた利用者の指から指紋を読取り、読取った指紋情報と登録済みの指紋情報とを照合することで指紋認証を行う。クレジットカードＣ´は、指紋認証が成功すると、指紋認証が成功した状態であることを示す情報をカード処理部３２ａ´、３２ｂ´へ通知する。カード処理部３２ａ´、３２ｂ´は、通信接続している半差し状態のクレジットカードＣ´において指紋認証が成功すると、当該クレジットカードＣが記憶している決済に用いる情報にアクセス可能となる。
【００５６】
次に、第２の実施形態に係る自動精算機１´による精算処理について説明する。  
図７は、第２の実施形態に係る自動精算機１´による精算処理の動作例を説明するためのフローチャートである。なお、図７に示す処理の流れは、第１の実施形態で説明した図５に示す処理の流れと類似する。このため、図７に示す処理において、図５に示す処理と同様な処理については、詳細な説明を省略するものとする。
【００５７】
自動精算機１の制御部３０は、待機状態において通行券口１１ａ又は１１ｂへの通行券の挿入を受付ける（ＳＴ３１）。通行券口１１ａ（１１ｂ）に通行券が挿入されると、通行券処理部３１ａ（３１ｂ）は、挿入された通行券から情報を読み取り、読取った情報を制御部３０へ供給する。制御部３０は、通行券から読み取った情報を取得すると（ＳＴ３１、ＹＥＳ）、当該通行券に基づく料金を計算する（ＳＴ３２）。
【００５８】
料金を算出すると、制御部３０は、算出した料金の精算を案内する（ＳＴ３３）。制御部３０は、算出した料金をディスプレイ２０ａ（２０ｂ）に表示し、現金又はクレジットカードでの精算を促す。  
現金が紙幣口１３ａ（１３ｂ）又は硬貨投入口１４ａ（１４ｂ）に投入された場合（ＳＴ３４、ＹＥＳ）、制御部３０は、投入された現金による料金の精算処理を行う（ＳＴ３５）。
【００５９】
ＩＣカードの外部通信端子がカード口１２ａ´（１２ｂ´）に挿入（半差し）されると、カード処理部３２ａ´（３２ｂ´）は、当該外部通信端子と接触してＩＣカードと通信接続する（ＳＴ３６、ＹＥＳ）。カード口１２ａ´（１２ｂ´）に挿入されたＩＣカードとカード処理部３２ａ´（１２ｂ´）とが通信接続すると、制御部３０は、通信接続したＩＣカードが指紋認証機能を有するクレジットカードＣ´であるか否かを判断する（ＳＴ３８）。
【００６０】
例えば、制御部３０は、カード処理部３２ａ´を用いてカード口１２ａ´に挿入（半差し）されたＩＣカードから指紋認証機能の有無を示す情報を読み出す。ここで、指紋認証機能を有するクレジットカードＣ´は、指紋認証機能を有することを示す情報（カードの判別情報）がＲＯＭ６２又は不揮発性メモリ６４に事前に記録されているものとする。制御部３０は、カード処理部３２ａ´を用いて指紋認証機能を有するクレジットカードＣ´であることを示す情報を読み取れたか否かにより、当該ＩＣカードが指紋認証機能を有するクレジットカードＣ´であるか否かを判断する。
【００６１】
カード口１２ａ´（１２ｂ）に挿入されたＩＣカードが指紋認証機能を有するクレジットカードＣ´であると判断した場合（ＳＴ３８、ＹＥＳ）、制御部３０は、当該クレジットカードＣ´における指紋認証が成功した状態（指紋認証済み）であるか否かを判断する（ＳＴ３９）。上述したように、第２の実施形態では、クレジットカードＣ´は、バッテリレスのＩＣカードであり、カード口１２ａ´（１２ｂ´）に半差しされた状態でカード処理部３２ａ´（３２ｂ´）からの電力によって動作し、指紋センサ５３に触れる利用者の指紋を読み取って指紋認証を実行する。クレジットカードＣ´は、指紋認証が成功すると、指紋認証が成功したことをカード処理部３２ａ´（３２ｂ´）へ通知し、クレジットカードによる精算に必要な情報へのアクセスが可能な状態とする。
【００６２】
制御部３０は、クレジットカードＣ´における指紋認証が成功したと判断すると（ＳＴ３９、ＹＥＳ）、カード処理部３２ａ´（３２ｂ´）によりクレジットカードを用いた賞金の精算に必要な情報を読出して当該クレジットカードＣ´による精算処理を実行する（ＳＴ４０）。
【００６３】
また、制御部３０は、当該クレジットカードＣ´における指紋認証が成功していない場合（ＳＴ３９、ＮＯ）、指紋認証を再度実行する旨を報知する（ＳＴ４１）。例えば、制御部３０は、「指紋認証を再度実行して下さい」あるいは「挿入したクレジットカードの指紋センサに指を触れて下さい」などの案内をディスプレイ２０ａ（２０ｂ）に表示し、指紋認証の再実行を促す。制御部３０は、指紋認証を再度実行する旨を報知した後、制御部３０は、ＳＴ３９へ戻り、当該カードでの指紋認証の成功を待つ。
【００６４】
なお、カード口１２ａ´（１２ｂ´）に挿入されたクレジットカードＣ´における指紋認証は、所定時間内で行われるように制限しても良い。例えば、カード処理部３２ａ´（１２ｂ´）と通信接続してから所定時間内で指紋認証が成功しなければ、認証エラーとして当該カードでの精算を不可とするようにしても良い。また、クレジットカードＣ´は指紋認証のリトライ回数に制限を設けても良い。
【００６５】
カード口１２ａ´（１２ｂ´）に挿入されたカードが指紋認証機能を有するクレジットカードでないと判断した場合（ＳＴ３８、ＮＯ）、制御部３０は、当該カードを用いた料金精算が可能か否かを判断する（ＳＴ４３）。取り込んだカードが指紋認証機能を持たないクレジットカードである場合、制御部３０は、カード所有者の本人認証が無い状態で当該クレジットカードによる決済が可能であるか判断する。
【００６６】
カード口１２ａ´（１２ｂ´）に挿入されたカードでの料金精算が可能であると判断した場合（ＳＴ４３、ＹＥＳ）、制御部３０は、当該クレジットカードを用いた料金の精算処理を実行する（ＳＴ４０）。また、カード口１２ａ´（１２ｂ´）に挿入されたカードでの料金精算が不可であると判断した場合（ＳＴ４３、ＮＯ）、制御部３０は、当該カードでの精算を不可とし、カード口１２ａ´（１２ｂ´）に挿入された当該クレジットカードでは精算不可である旨をディスプレイ２０ａ（２０ｂ）に表示する（ＳＴ４４）。
【００６７】
上記のように、第２の実施形態に係る自動精算機は、カード口とカード処理部と制御部とを有する。カード口には、車両に乗車した状態の利用者からカードが半差しされる。カード処理部は、カード口に半差しされたカードに接続して電力を供給し、電力供給によって当該カードを動作させる。制御部は、カード口に半差しされたカードが指紋認証機能を有するクレジットカードであるか否かを判断し、当該カードが指紋認証機能を有するクレジットカードであると判断した場合には当該カードにおける指紋認証が成功した旨の通知を受付ける。制御部は、カード口に半差しされた指紋認証機能を有するクレジットカードから指紋認証が成功したことが通知された場合、当該クレジットカードから読み取る情報に基づいて料金を精算する。
【００６８】
第２の実施形態によれば、利用者が車両に乗車したままの状態で精算処理を行う有料道路の料金所などであっても、バッテリレスの指紋認証機能付きクレジットカードを用いた精算処理を行える自動精算機を提供できる。また、第２の実施形態によれば、利用者が指紋センサに触れながらクレジットカードをカード口に挿入することで、ＰＩＮ入力などの手間を掛けることなく、指紋で本人認証したクレジットカードでの精算が可能となる。この結果、第２の実施形態に係る自動精算機は、ＰＩＮパッドなどの設置面積が大きな新たな機器を設置することなく、指紋による本人認証でセキュリティを強化したクレジットカードでの精算処理が実現できる。
【００６９】
また、第２の実施形態によれば、利用者が指紋センサに触れながらクレジットカードをカード口に挿入するか、又は、半差しの状態としたクレジットカードの指紋センサに利用者の指が触れることで、クレジットカードにおける指紋認証による本人確認を行うため、ＰＩＮ入力操作などに伴うサービスタイムの増加などのデメリットがなく、スムーズな運用が期待できる。
【００７０】
なお、上記実施の形態は、有料道路の料金所に設けられる料金精算機の実施形態として説明したが、これに限られない。例えば、駐車場の料金精算機や、入場が有料の施設(例えば、遊園地、映画館等のように入口または出口で料金徴収を行う施設)の入場料の精算機等にも同様に適用される。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１…自動精算機、１２ａ、１２ｂ…カード口、２０ａ、２０ｂ…ディスプレイ（表示部）、３０…制御部、３２ａ、３２ｂ…カード処理部、３３ａ、３３…紙幣処理部（現金処理部）、３４ａ、３４ｂ…硬貨処理部（現金処理部）、Ｃ、Ｃ´…クレジットカード（ＩＣカード）。
【図１】
2019200683.tif 000003
【図２】
2019200683.tif 000004
【図３】
2019200683.tif 000005
【図４】
2019200683.tif 000006
【図５】
2019200683.tif 000007
【図６】
2019200683.tif 000008
【図７】
2019200683.tif 000009